(57)【要約】【課題】自端末の表示装置の輝度を制御すること。【解決手段】文字や図形を表示するための表示装置１４０と、ユーザによって予め設定された各データであって、自端末１００への入力処理の内容を示すデータと、当該入力処理が成された場合においてあるべき表示装置１４０の輝度の設定を示すデータとを対応付けて格納するためのデータ格納装置１２０と、表示装置１４０の輝度を制御するための制御装置１１０とを備え、制御装置１１０は、自端末１００への入力処理が成された場合に、データ格納装置１２０に格納されているデータに基づいて、当該入力処理が成された場合においてあるべき表示装置１４０の輝度を決定する輝度決定部と、輝度決定部が決定した輝度とすべく表示装置１４０の輝度を制御する輝度制御部とを有する。【選択図】図１
2012104984.tif 000002
【特許請求の範囲】
【請求項１】
自端末の表示装置の輝度を制御する携帯情報端末であって、
文字や図形を表示するための表示装置と、
ユーザによって予め設定された各データであって、自端末への入力処理の内容を示すデータと、当該入力処理が成された場合においてあるべき前記表示装置の輝度の設定を示すデータとを対応付けて格納するためのデータ格納装置と、
前記表示装置の輝度を制御するための制御装置と
を備え、
前記制御装置は、
自端末への入力処理が成された場合に、前記データ格納装置に格納されているデータに基づいて、当該入力処理が成された場合においてあるべき前記表示装置の輝度を決定する輝度決定部と、
前記輝度決定部が決定した輝度とすべく前記表示装置の輝度を制御する輝度制御部と
を有する携帯情報端末。
【請求項２】
自端末にデータや情報、指示の入力を与えるための入力装置
を更に備え、
前記制御装置は、
前記入力装置を介して与えられた自端末へのデータや情報、指示の入力処理を受け付ける入力受付部
を更に有し、
前記制御装置の輝度決定部は、前記入力受付部が自端末へのデータや情報、指示の入力処理を受け付けた場合に、前記データ格納装置に格納されているデータに基づいて、当該入力処理が成された場合においてあるべき前記表示装置の輝度を決定する
請求項１に記載の携帯情報端末。
【請求項３】
前記制御装置は、
実行中の処理を中断して、強制的に指定された入力処理を実行する割込制御部
を更に有し、
前記制御装置の輝度決定部は、前記割込制御部が強制的に指定された入力処理を実行した場合に、前記データ格納装置に格納されているデータに基づいて、当該入力処理が成された場合においてあるべき前記表示装置の輝度を決定する
請求項１又は２に記載の携帯情報端末。
【発明の詳細な説明】
【技術分野】
【０００１】
本発明は、携帯情報端末に関する。特に、本発明は、自端末の表示装置の輝度を制御する携帯情報端末に関する。
【背景技術】
【０００２】
携帯電話において、電池の持ち時間は、非常に重要である。一方、携帯電話の液晶ディスプレイは、そのバックライトが点灯することによって、比較的大きな電力を消費する。したがって、液晶ディスプレイのバックライトは、極力、消灯していることが望ましい。そのため、携帯電話の多くは、一定時間利用しない場合に、例えば、液晶ディスプレイのバックライトを消灯する等の省電力のための機能を備えている（例えば、特許文献１参照。）。
【先行技術文献】
【特許文献】
【０００３】
【特許文献１】特開２００４−０２３４９６号公報
【発明の概要】
【発明が解決しようとする課題】
【０００４】
特許文献１に記載の技術によっては、操作する実行機能の動作モード毎に、キー操作を停止してからのバックライトの点灯継続時間が変えられるように構成されており、ユーザがどのような種類の動作モードで携帯電話を使用しているかによって、キー操作を停止した後のバックライトの点灯継続時間を長くしたり短くしたりすることができる。
【０００５】
即ち、特許文献１に記載の技術においては、ユーザによる操作が成されている場合、ディスプレイの表示内容を視認することができなければならないという観点から、液晶ディスプレイのバックライトを常時点灯するようにしている。
【０００６】
ところで、携帯電話の操作に慣れたユーザの中には、使い慣れた機能に関連する操作であれば、液晶ディスプレイに表示されている情報を見なくても操作することができる者も少なくない。また、そのようなユーザでなくとも、携帯電話のユーザの中には、電話着信時に相手の電話番号や通話時間を見ない者も多い。これらのユーザにとって、液晶ディスプレイのバックライトを点灯しておくことは電池の無駄である。
【０００７】
しかし、これらの機能を、液晶ディスプレイのバックライトを消灯状態で動作させてしまうと、液晶ディスプレイを参照したいユーザの利便性が損なわれる。問題点は、ユーザのニーズに合わせて液晶ディスプレイのバックライトの消灯状態を維持する機能が無いことである。
【課題を解決するための手段】
【０００８】
上記課題を解決するために、本発明の第１の形態によると、自端末の表示装置の輝度を制御する携帯情報端末であって、文字や図形を表示するための表示装置と、ユーザによって予め設定された各データであって、自端末への入力処理の内容を示すデータと、当該入力処理が成された場合においてあるべき表示装置の輝度の設定を示すデータとを対応付けて格納するためのデータ格納装置と、表示装置の輝度を制御するための制御装置とを備え、制御装置は、自端末への入力処理が成された場合に、データ格納装置に格納されているデータに基づいて、当該入力処理が成された場合においてあるべき表示装置の輝度を決定する輝度決定部と、輝度決定部が決定した輝度とすべく表示装置の輝度を制御する輝度制御部とを有する。
【０００９】
なおまた、上記のように発明の概要は、本発明の必要な特徴の全てを列挙したものではなく、これらの特徴群のサブコンビネーションもまた、発明となり得る。
【発明の効果】
【００１０】
以上の説明から明らかなように、この発明においては、自端末への入力処理が成された場合における表示装置の輝度を設定させておき、その入力処理が成された場合に、設定された輝度となるように表示装置の輝度を制御するようにしたので、例えば、表示装置を参照せずに操作可能な機能について、その機能に関連する入力処理が成された場合に、表示装置を点灯させないように設定しておけば、その機能に関する操作時に表示装置を消灯させたままにすることができ、既知の携帯電話と比較して、大幅な節電効果を期待することができる。
【図面の簡単な説明】
【００１１】
【図１】一実施形態に係る携帯電話１００の一例を示す図である。
【図２】制御装置１１０のブロック構成の一例を示す図である。
【発明を実施するための形態】
【００１２】
以下、発明の実施の形態を通じて本発明を説明するが、以下の実施形態は、特許請求の範囲にかかる発明を限定するものではなく、また、実施形態の中で説明されている特徴の組み合わせの全てが発明の解決手段に必須であるとは限らない。
【００１３】
図１は、一実施形態に係る携帯電話１００の一例を示す。携帯電話１００は、自端末の液晶ディスプレイ１４０のバックライトの点灯又は消灯を制御する機能を有する。なお、携帯電話１００は、この発明における「携帯情報端末」の一例であってよい。また、液晶ディスプレイ１４０は、この発明における「表示装置」の一例であってよい。また、点灯又は消灯は、この発明における「輝度」の一例であってよい。
【００１４】
携帯電話１００は、制御装置１１０、記憶装置１２０、入力キー１３０、及びディスプレイ１４０を備える。制御装置１１０は、記憶装置１２０、入力キー１３０、及びディスプレイ１４０と、それぞれ電気的に接続されている。なお、記憶装置１２０は、この発明における「データ格納装置」の一例であってよい。また、入力キー１３０は、この発明における「入力装置」の一例であってよい。
【００１５】
制御装置１１０は、ディスプレイ１４０のバックライトの輝度の他、携帯電話１００の動作を制御するための制御手段である。記憶装置１２０は、各種情報を記憶するための記憶手段である。入力キー１３０は、ユーザが携帯電話１００にデータや情報、指示の入力を与えるための入力手段である。液晶ディスプレイ１４０は、文字や図形を表示するための表示手段である。
【００１６】
記憶装置１２０は、消灯操作設定データベース１２１を備えている。消灯操作設定データベース１２１には、消灯操作フラグ（ＯＮ／ＯＦＦ）、消灯操作機能情報が保存されている。消灯操作機能情報には、以下のように該当機能を直接指定してもよい。
・目覚ましアラーム鳴動（消灯）
・電話着信（点灯）
この設定は、目覚まし設定時間になってもアラームのみが鳴動し液晶ディスプレイ１４０のバックライトは消灯したままとなり、電話着信を受けた場合は点灯することを意味する。
【００１７】
また、消灯操作機能情報には、以下のように機能選択にいたるキー押下のツリーを指定してもよい
マナーボタン長押し（消灯）
メニュー（消灯）→本体設定（消灯）→マナーモード設定（消灯）、待受け画面設定（点灯）、バイブレータ設定（消灯）
この設定は、ユーザがマナーボタンを長押しした場合や、メニュー−本体設定−マナーモードの順に機能選択した場合には液晶ディスプレイ１４０のバックライトは消灯したままとなり、メニュー−本体設定−待受け画面設定の順に機能選択した場合は、待受け画面設定を選択した時点で液晶ディスプレイ１４０のバックライトを点灯することを意味する。
【００１８】
図２は、制御装置１１０のブロック構成の一例を示す。制御装置１１０は、設定入力受付部１１１、入力受付部１１２、割込制御部１１３、輝度決定部１１４、及び輝度制御部１１５を有する。
【００１９】
設定入力受付部１１１は、入力キー１３０を介して与えられた液晶ディスプレイ１４０のバックライトの点灯又は消灯の設定の入力処理を受け付ける。具体的には、設定入力受付部１１１は、入力キー１３０を介して与えられた液晶ディスプレイ１４０のバックライトの点灯又は消灯の設定の入力処理を受け付けると、その設定を示すデータを、記憶装置１２０の消灯操作設定データベース１２１へ格納する。
【００２０】
入力受付部１１２は、入力キー１３０を介して与えられた自端末へのデータや情報、指示の入力処理を受け付ける。具体的には、入力受付部１１２は、入力キー１３０を介して与えられた自端末へのデータや情報、指示の入力処理を受け付けると、その入力処理の内容を示すデータを、輝度決定部１１４へ送る。
【００２１】
割込制御部１１３は、実行中の処理を中断して、強制的に指定された入力処理を実行する。具体的には、割込制御部１１３は、実行中の処理を中断して、強制的に指定された入力処理を実行するにあたり、その入力処理の内容を示すデータを、輝度決定部１１４へ送る。
【００２２】
輝度決定部１１４は、自端末への入力処理が成された場合に、記憶装置１２０の消灯操作設定データベース１２１に格納されているデータに基づいて、その入力処理が成された場合においてディスプレイ１４０のバックライトを点灯すべきか消灯すべきかを決定する。
【００２３】
例えば、輝度決定部１１４は、入力受付部１１２が自端末へのデータや情報、指示の入力処理を受け付けた場合に、記憶装置１２０の消灯操作設定データベース１２１に格納されているデータに基づいて、その入力処理が成された場合においてディスプレイ１４０のバックライトを点灯すべきか消灯すべきかを決定する。具体的には、輝度決定部１１４は、入力処理の内容を示すデータを、入力受付部１１２から受け取ると、記憶装置１２０の消灯操作設定データベース１２１に格納されているデータに基づいて、その入力処理が成された場合においてディスプレイ１４０のバックライトを点灯すべきか消灯すべきかを決定する。そして、輝度決定部１１４は、バックライトの点灯又は消灯を決定した内容を示すデータを、輝度制御部１１５へ送る。
【００２４】
また、例えば、輝度決定部１１４は、割込制御部１１３が強制的に指定された入力処理を実行した場合に、記憶装置１２０の消灯操作設定データベース１２１に格納されているデータに基づいて、その入力処理が成された場合においてディスプレイ１４０のバックライトを点灯すべきか消灯すべきかを決定する。具体的には、輝度決定部１１４は、入力処理の内容を示すデータを、割込制御部１１３から受け取ると、記憶装置１２０の消灯操作設定データベース１２１に格納されているデータに基づいて、その入力処理が成された場合においてディスプレイ１４０のバックライトを点灯すべきか消灯すべきかを決定する。そして、輝度決定部１１４は、ディスプレイ１４０のバックライトの点灯又は消灯を決定した内容を示すデータを、輝度制御部１１５へ送る。
【００２５】
輝度制御部１１５は、輝度決定部１１４が決定したディスプレイ１４０のバックライトの点灯又は消灯とすべく、ディスプレイ１４０のバックライトを制御する。具体的には、輝度制御部１１５は、ディスプレイ１４０のバックライトの点灯又は消灯を決定した内容を示すデータを、輝度決定部１１４から受け取ると、そのデータによって示されるディスプレイ１４０のバックライトの点灯又は消灯とすべく、ディスプレイ１４０のバックライトを制御する。
【００２６】
次に、携帯電話１００の動作について詳細に説明する。ユーザは、入力キー１３０を利用して、消灯操作設定データベース１２１に設定したい値を予め入力しておく。消灯操作を有効にしたい場合は消灯操作フラグをＯＮにする。さらに消灯状態のままで操作したい機能を入力する。制御装置１１０の設定入力受付部１１１は、入力キー１３０を介して与えられた液晶ディスプレイ１４０のバックライトの点灯又は消灯の設定の入力処理を受け付けると、その設定を示すデータを、記憶装置１２０の消灯操作設定データベース１２１へ格納する。
【００２７】
例えば、ユーザが入力キー１３０で何らかの機能を利用する操作を行ったとする。この時、輝度決定部１１４は消灯操作設定データベース１２１を参照し、消灯操作フラグがＯＮの場合は、ユーザの操作内容が消灯操作の対象かどうか判定する。消灯操作の対象と判定された場合は液晶ディスプレイ１４０の制御は行わない。ユーザの操作内容が消灯操作の対象でないと判定された場合は、輝度決定部１１４は輝度制御部１１５に液晶ディスプレイ１４０のバックライトの点灯処理を命令する。この時、輝度制御部１１５は液晶ディスプレイ１４０のバックライトを点灯させる。
【００２８】
また、ユーザが入力キー１３０を操作しない場合でも、目覚ましアラーム時間になった場合や電話着信があった場合は、割込制御部１１３から輝度決定部１１４に入力が行われる。輝度決定部１１４はユーザ操作の場合と同様に消灯操作設定データベース１２１を参照し、消灯操作の対象かどうかを判定する。
【００２９】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００３０】
１００  携帯電話
１１０  制御装置
１１１  設定入力受付部
１１２  入力受付部
１１３  割込制御部
１１４  輝度決定部
１１５  輝度制御部
１２０  記憶装置
１２１  消灯操作設定データベース
１３０  入力キー
１４０  液晶ディスプレイ
【図１】
2012104984.tif 000003
【図２】
2012104984.tif 000004